【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】  第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうち、少なくとも１つの領域が作成される記憶手段と、
前記第１の領域から第４の領域のうちの１つの領域の作成の指示と、その作成が指示された領域に関する、少なくとも一部分が暗号化された情報を受信する受信手段と、
前記受信手段により受信された前記情報を基に、前記第１の領域から第４の領域のうち、前記作成が指示された領域の親となる領域に記憶されている鍵を前記記憶手段から読み出す読み出し手段と、
前記読み出し手段により読み出された前記鍵を用いて、前記暗号化された情報を復号する復号手段と、
前記復号手段により復号された前記情報を基に、前記作成が指示された領域を前記記憶手段内に作成する作成手段と
を備えるデータ記憶装置。
【請求項２】  第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうちの少なくとも１つの領域が作成されるデータ記憶媒体に対する、前記第１の領域から第４の領域のうちの１つの領域の作成の指示と、その作成が指示された領域に関する、少なくとも一部分が暗号化された情報の受信を制御する受信制御ステップと、
前記受信制御ステップの処理で受信が制御された前記情報を基に、前記第１の領域から第４の領域のうち、前記作成が指示された領域の親となる領域に記憶されている鍵を前記データ記憶媒体の領域から読み出す読み出しステップと、
前記読み出しステップの処理で読み出された前記鍵を用いて、前記暗号化された情報を復号する復号ステップと、
前記復号ステップの処理で復号された前記情報を基に、前記作成が指示された領域を前記データ記憶媒体に作成する作成ステップと
を含むデータ記憶方法。
【請求項３】  第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうちの少なくとも１つの領域が作成されるデータ記憶媒体に対する、前記第１の領域から第４の領域のうちの１つの領域の作成の指示と、その作成が指示された領域に関する、少なくとも一部分が暗号化された情報の受信を制御する受信制御ステップと、
前記受信制御ステップの処理で受信が制御された前記情報を基に、前記第１の領域から第４の領域のうち、前記作成が指示された領域の親となる領域に記憶されている鍵を前記データ記憶媒体の領域から読み出す読み出しステップと、
前記読み出しステップの処理で読み出された前記鍵を用いて、前記暗号化された情報を復号する復号ステップと、
前記復号ステップの処理で復号された前記情報を基に、前記作成が指示された領域を前記データ記憶媒体に作成する作成ステップと
を含む処理を実行するコンピュータが読み取り可能なプログラムが記録されている記録媒体。
【請求項４】  第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうちの１つの領域の作成の指示と、その作成が指示された領域に関する、少なくとも一部分が暗号化された情報の受信を制御する受信制御ステップと、
前記受信制御ステップの処理で受信が制御された前記情報を基に、前記第１の領域から第４の領域のうち、前記作成が指示された領域の親となる領域に記憶されている鍵を前記データ記憶媒体の領域から読み出す読み出しステップと、
前記読み出しステップの処理で読み出された前記鍵を用いて、前記暗号化された情報を復号する復号ステップと、
前記復号ステップの処理で復号された前記情報を基に、前記作成が指示された領域を前記データ記憶媒体に作成する作成ステップと
を実行させるコンピュータが読み取り可能なプログラム。
【請求項５】  データを記憶する領域を階層構造にして管理し、第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうち、少なくとも１つの領域が作成されるデータ記憶装置に対して、前記情報を提供する提供手段と、
前記第２の領域の作成を指示する場合、前記第４の領域により管理されている鍵を用いて前記第２の領域の情報を暗号化し、前記第２の管理者が管理する領域の作成を指示する場合、前記第３の領域により管理されている鍵を用いて前記第２の管理者が管理する領域の情報を暗号化し、前記第３の領域の作成を指示する場合、前記第１の領域により管理されている鍵を用いて前記第３の領域の情報を暗号化し、前記第４の領域の作成を指示する場合、前記第１の領域により管理されている鍵を用いて前記第４の領域の情報を暗号化する暗号化手段と
を含み、
前記提供手段は、前記暗号化手段により暗号化された前記情報を、前記データ記憶媒体に対して提供する
情報処理装置。
【請求項６】  データを記憶する領域を階層構造にして管理し、第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうち、少なくとも１つの領域が作成されるデータ記憶装置に対して、前記情報を提供する提供ステップと、
前記第２の領域の作成を指示する場合、前記第４の領域により管理されている鍵を用いて前記第２の領域の情報を暗号化し、前記第２の管理者が管理する領域の作成を指示する場合、前記第３の領域により管理されている鍵を用いて前記第２の管理者が管理する領域の情報を暗号化し、前記第３の領域の作成を指示する場合、前記第１の領域により管理されている鍵を用いて前記第３の領域の情報を暗号化し、前記第４の領域の作成を指示する場合、前記第１の領域により管理されている鍵を用いて前記第４の領域の情報を暗号化する暗号化ステップと
を含み、
前記提供ステップは、前記暗号化ステップの処理により暗号化された前記情報を、前記データ記憶媒体に対して提供する
情報処理方法。
【請求項７】  データを記憶する領域を階層構造にして管理し、第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうち、少なくとも１つの領域が作成されるデータ記憶装置に対して、前記情報を提供する提供ステップと、
前記第２の領域の作成を指示する場合、前記第４の領域により管理されている鍵を用いて前記第２の領域の情報を暗号化し、前記第２の管理者が管理する領域の作成を指示する場合、前記第３の領域により管理されている鍵を用いて前記第２の管理者が管理する領域の情報を暗号化し、前記第３の領域の作成を指示する場合、前記第１の領域により管理されている鍵を用いて前記第３の領域の情報を暗号化し、前記第４の領域の作成を指示する場合、前記第１の領域により管理されている鍵を用いて前記第４の領域の情報を暗号化する暗号化ステップと
を含み、
前記提供ステップは、前記暗号化ステップの処理により暗号化された前記情報を、前記データ記憶媒体に対して提供する
コンピュータが読み取り可能なプログラムが記録されている記録媒体。
【請求項８】  データを記憶する領域を階層構造にして管理し、第１の管理者が管理する第１の領域、サービスに関する情報を管理する第２の領域、前記第１の領域を上位階層とする第２の管理者が管理する領域を作成する際に必要な情報を管理し、前記第１の領域を親とする第３の領域、および、前記第２の領域を作成する際に必要な情報を管理し、前記第１の領域を親とする第４の領域のうち、少なくとも１つの領域が作成されるデータ記憶装置に対して、前記情報を提供する提供ステップと、
前記第２の領域の作成を指示する場合、前記第４の領域により管理されている鍵を用いて前記第２の領域の情報を暗号化し、前記第２の管理者が管理する領域の作成を指示する場合、前記第３の領域により管理されている鍵を用いて前記第２の管理者が管理する領域の情報を暗号化し、前記第３の領域の作成を指示する場合、前記第１の領域により管理されている鍵を用いて前記第３の領域の情報を暗号化し、前記第４の領域の作成を指示する場合、前記第１の領域により管理されている鍵を用いて前記第４の領域の情報を暗号化する暗号化ステップと
を含み、
前記提供ステップは、前記暗号化ステップの処理により暗号化された前記情報を、前記データ記憶媒体に対して提供する
コンピュータが読み取り可能なプログラム。
【手続補正２】
【補正対象書類名】明細書
【補正対象項目名】００１８
【補正方法】変更
【補正の内容】
【００１８】
【課題を解決するための手段】
本発明のデータ記憶装置は、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成される記憶手段と、第１の領域から第４の領域のうちの１つの領域の作成の指示と、その作成が指示された領域に関する、少なくとも一部分が暗号化された情報を受信する受信手段と、受信手段により受信された情報を基に、第１の領域から第４の領域のうち、作成が指示された領域の親となる領域に記憶されている鍵を記憶手段から読み出す読み出し手段と、読み出し手段により読み出された鍵を用いて、暗号化された情報を復号する復号手段と、復号手段により復号された情報を基に、作成が指示された領域を記憶手段内に作成する作成手段とを備える。
【手続補正３】
【補正対象書類名】明細書
【補正対象項目名】００１９
【補正方法】変更
【補正の内容】
【００１９】
本発明のデータ記憶方法は、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶媒体に対する、第１の領域から第４の領域のうちの１つの領域の作成の指示と、その作成が指示された領域に関する、少なくとも一部分が暗号化された情報の受信を制御する受信制御ステップと、受信制御ステップの処理で受信が制御された情報を基に、前記第１の領域から第４の領域のうち、作成が指示された領域の親となる領域に記憶されている鍵をデータ記憶媒体の領域から読み出す読み出しステップと、読み出しステップの処理で読み出された鍵を用いて、暗号化された情報を復号する復号ステップと、復号ステップの処理で復号された情報を基に、作成が指示された領域をデータ記憶媒体に作成する作成ステップとを含む。
【手続補正４】
【補正対象書類名】明細書
【補正対象項目名】００２０
【補正方法】変更
【補正の内容】
【００２０】
本発明の第１の記録媒体のプログラムは、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶媒体に対する、第１の領域から第４の領域のうちの１つの領域の作成の指示と、その作成が指示された領域に関する、少なくとも一部分が暗号化された情報の受信を制御する受信制御ステップと、受信制御ステップの処理で受信が制御された情報を基に、前記第１の領域から第４の領域のうち、作成が指示された領域の親となる領域に記憶されている鍵をデータ記憶媒体の領域から読み出す読み出しステップと、読み出しステップの処理で読み出された鍵を用いて、暗号化された情報を復号する復号ステップと、復号ステップの処理で復号された情報を基に、作成が指示された領域をデータ記憶媒体に作成する作成ステップとを含む。
【手続補正５】
【補正対象書類名】明細書
【補正対象項目名】００２１
【補正方法】変更
【補正の内容】
【００２１】
本発明の第１のプログラムは、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶媒体に対する、第１の領域から第４の領域のうちの１つの領域の作成の指示と、その作成が指示された領域に関する、少なくとも一部分が暗号化された情報の受信を制御する受信制御ステップと、受信制御ステップの処理で受信が制御された情報を基に、前記第１の領域から第４の領域のうち、作成が指示された領域の親となる領域に記憶されている鍵をデータ記憶媒体の領域から読み出す読み出しステップと、読み出しステップの処理で読み出された鍵を用いて、暗号化された情報を復号する復号ステップと、復号ステップの処理で復号された情報を基に、作成が指示された領域をデータ記憶媒体に作成する作成ステップとを実行させるコンピュータが読み取り可能なプログラム。
【手続補正６】
【補正対象書類名】明細書
【補正対象項目名】００２２
【補正方法】変更
【補正の内容】
【００２２】
本発明の情報処理装置は、データを記憶する領域を階層構造にして管理し、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶装置に対して、情報を提供する提供手段と、第２の領域の作成を指示する場合、第４の領域により管理されている鍵を用いて第２の領域の情報を暗号化し、第２の管理者が管理する領域の作成を指示する場合、第３の領域により管理されている鍵を用いて第２の管理者が管理する領域の情報を暗号化し、第３の領域の作成を指示する場合、第１の領域により管理されている鍵を用いて第３の領域の情報を暗号化し、第４の領域の作成を指示する場合、第１の領域により管理されている鍵を用いて第４の領域の情報を暗号化する暗号化手段とを含み、提供手段は、暗号化手段により暗号化された情報を、データ記憶媒体に対して提供する。
【手続補正７】
【補正対象書類名】明細書
【補正対象項目名】００２３
【補正方法】変更
【補正の内容】
【００２３】
本発明の情報処理方法は、データを記憶する領域を階層構造にして管理し、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶装置に対して、情報を提供する提供ステップと、第２の領域の作成を指示する場合、第４の領域により管理されている鍵を用いて第２の領域の情報を暗号化し、第２の管理者が管理する領域の作成を指示する場合、第３の領域により管理されている鍵を用いて第２の管理者が管理する領域の情報を暗号化し、第３の領域の作成を指示する場合、第１の領域により管理されている鍵を用いて第３の領域の情報を暗号化し、第４の領域の作成を指示する場合、第１の領域により管理されている鍵を用いて第４の領域の情報を暗号化する暗号化ステップとを含み、提供ステップは、暗号化ステップの処理により暗号化された情報を、データ記憶媒体に対して提供する。
【手続補正８】
【補正対象書類名】明細書
【補正対象項目名】００２４
【補正方法】変更
【補正の内容】
【００２４】
本発明の第２の記録媒体のプログラムは、データを記憶する領域を階層構造にして管理し、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶装置に対して、情報を提供する提供ステップと、第２の領域の作成を指示する場合、第４の領域により管理されている鍵を用いて第２の領域の情報を暗号化し、第２の管理者が管理する領域の作成を指示する場合、第３の領域により管理されている鍵を用いて第２の管理者が管理する領域の情報を暗号化し、第３の領域の作成を指示する場合、第１の領域により管理されている鍵を用いて第３の領域の情報を暗号化し、第４の領域の作成を指示する場合、第１の領域により管理されている鍵を用いて第４の領域の情報を暗号化する暗号化ステップとを含み、提供ステップは、暗号化ステップの処理により暗号化された情報を、データ記憶媒体に対して提供するコンピュータが読み取り可能なプログラム。
【手続補正９】
【補正対象書類名】明細書
【補正対象項目名】００２５
【補正方法】変更
【補正の内容】
【００２５】
本発明の第２のプログラムは、データを記憶する領域を階層構造にして管理し、第１の管理者が管理する第１の領域、サービスに関する情報を管理する第２の領域、第１の領域を上位階層とする第２の管理者が管理する領域を作成する際に必要な情報を管理し、第１の領域を親とする第３の領域、および、第２の領域を作成する際に必要な情報を管理し、第１の領域を親とする第４の領域のうち、少なくとも１つの領域が作成されるデータ記憶装置に対して、情報を提供する提供ステップと、第２の領域の作成を指示する場合、第４の領域により管理されている鍵を用いて第２の領域の情報を暗号化し、第２の管理者が管理する領域の作成を指示する場合、第３の領域により管理されている鍵を用いて第２の管理者が管理する領域の情報を暗号化し、第３の領域の作成を指示する場合、第１の領域により管理されている鍵を用いて第３の領域の情報を暗号化し、第４の領域の作成を指示する場合、第１の領域により管理されている鍵を用いて第４の領域の情報を暗号化する暗号化ステップとを含み、提供ステップは、暗号化ステップの処理により暗号化された情報を、データ記憶媒体に対して提供するコンピュータが読み取り可能なプログラム。